(57)【特許請求の範囲】
【請求項１】
上部開口(156)を有するコイン保留ボウル(108)の底孔(158)に配置された通孔(166)付き回転ディスク(110)によってコイン(102)を一枚ずつ区分けして、前記回転ディスク(110)の側方に固定状態に配置した第1ガイド(188)及び前記第1ガイド(188)に対し弾性的に接離可能に設けられた第2ガイド(192)によって構成された弾出装置(114)によって出口通路(116)に投出し、前記出口通路(116)の端面の出口(306)から投出するコインホッパにおいて、
複数のガイド部を有するプレート状のガイド体(196)の１のガイド部を選択的に前記第1ガイド(188)として構成することにより、前記第1ガイド(188)の位置が使用対象のコイン直径に対応して設定され、
前記複数のガイド部に対応した関連表示をする複数の表示部(346、354)を有する表示手段(336)と、前記ガイド体(198)及び前記表示手段(336)を一体的に固定する固定手段(280)と、を含むコインサイズ表示装置(332)を備え、
前記固定手段(280)は、前記ガイド体(196)の選択された１のガイド部が前記第1ガイド(188)に設定された場合、前記複数の表示部(346、354)の内、当該選択されたガイド部に対応する表示部が前記出口(306)に並置された場合にのみ前記ガイド体(196)及び表示手段(336)を一体的に固定可能であることを特徴とするコインホッパのコインサイズ表示装置。
【発明の詳細な説明】
【技術分野】
【０００１】
本発明は、固定ガイドと、弾性的に付勢力を与えられた可動ガイドとによってコインを挟んで一つずつ出口通路に弾き出した後、出口通路の端部の出口から払い出すコインホッパに関する。
詳細には、前記弾き出されるコインのサイズが間違いなく表示されるようにしたコインホッパのコインサイズ表示装置に関する。
さらに詳細には、前記弾き出されるコインのサイズを決定するコインガイドの設定状態によって自動的にコインサイズが表示されるようにしたコインホッパのコインサイズ表示装置に関する。
本明細書において、コインとは、通貨としてのコインの他、ゲーム用のトークン等をも含んでいる。
【背景技術】
【０００２】
第1の従来技術として、コインホッパから払い出されるコインの金種を目視可能にするため、コインホッパの筐体に金種を表示したシールを貼付することが行われている（例えば、特許文献１参照）。
第2の従来技術として、パチスロに用いられるコインホッパにおいては、2種類のメダルサイズに選択的に容易に適応できるようにするものが知られている（例えば、特許文献２参照）。
【０００３】
【特許文献１】特開２００１−５２２２９（図１）
【特許文献２】特開２００２−２０８０５７（図３―４、段落番号００１８）
【０００４】
第1の従来技術において、コインホッパから払い出すコインの金種を変更した場合、金種シールを張り替える必要があり煩雑であるという問題がある。
第2の従来技術において異なるメダルサイズに変更する場合、メダル出口を構成するメダルガイドを反転させることにより行う。
メダルサイズを変更した場合、どのサイズに適合しているかを表示する必要があるが、第2の従来技術には何ら開示が無いため、第１の従来技術のようにシールを貼付する方法で行うと解され、第１の従来技術同様に煩雑である問題がある。
【発明の開示】
【発明が解決しようとする課題】
【０００５】
本発明の第1の目的は、使用するコインサイズを変更した場合、容易かつ間違いなく使用可能なコインサイズを表示可能にするコインホッパのコインサイズ表示装置を提供することである。
本発明の第2の目的は、コインホッパの出口通路を画定するコインのガイド位置を変更した場合、当該コインガイドの位置変更に関連して使用可能なコインサイズが表示されるようにしたコインホッパのコインサイズ表示装置を提供することである。
本発明の第3の目的は、使用可能なコインサイズが間違いなく表示されるようにしたコインホッパのコインサイズ表示装置を提供することである。
本発明の第4の目的は、コインガイドとコインサイズ表示体とが一体的に固定されるようにすることにより、容易に固定及び取り外し出来るコインホッパのコインサイズ表示装置を提供することである。
【課題を解決するための手段】
【０００６】
この目的を達成するため、本発明にかかるコインホッパのコインサイズ表示装置は以下のように構成される。
上部開口を有するコイン保留ボウルの底孔に配置された通孔付き回転ディスクによってコインを一枚ずつ区分けして、前記回転ディスクの側方に固定状態に配置した第1ガイド及び前記第1ガイドに対し弾性的に接離可能に設けられた第2ガイドによって構成された弾出装置によって出口通路に投出し、前記出口通路の端面の出口から投出するコインホッパにおいて、複数のガイド部を有するプレート状のガイド体の１のガイド部を選択的に前記第1ガイドとして構成することにより、前記第1ガイドの位置が使用対象のコイン直径に対応して設定され、前記複数のガイド部に対応した関連表示をする複数の表示部を有する表示手段と、前記ガイド体及び前記表示手段を一体的に固定する固定手段と、を含むコインサイズ表示装置を備え、前記固定手段は、前記ガイド体の選択された１のガイド部が前記第1ガイドに設定された場合、前記複数の表示部の内、当該選択されたガイド部に対応する表示部が前記出口に並置された場合にのみ前記ガイド体及び表示手段を一体的に固定可能であることを特徴とするコインホッパのコインサイズ表示装置である。
【０００７】
本発明の第1の好ましい態様は、上部開口を有するコイン保留ボウルの底孔に配置された通孔付き回転ディスクによってコインを一枚ずつ区分けして、前記回転ディスクの下方に配置した底面上を滑らせて前記回転ディスクと共につれ回りさせて前記回転ディスクの側方に固定状態に配置した第1ガイド及び前記第1ガイドに対し弾性的に接離可能に設けられた第2ガイドによって構成された弾出装置に送り込み、前記弾出装置によって出口通路に投出し、前記出口通路の端面の出口から投出するコインホッパにおいて、前記第1ガイドは複数の角部を有するプレート状のガイド体の選択された角部によって構成され、前記ガイド体には仮位置決め用の１つのダボ孔が穿孔され、前記底面には前記ダボ孔に嵌り合うベースダボが突出形成され、さらに前記ガイド体には固定手段としてスクリュウのガイド貫通孔が形成され、横棒部と縦棒部とにより全体として大凡T形を呈する表示体を設け、当該表示体の横棒部の一端の第１端面及び他端の第2端面には前記ガイド体の複数の角部に対応する関連表示をする第1表示部及び第2表示部をそれぞれ設けると共に前記縦棒部に表示体貫通孔を設け、前記底面には前記固定用スクリュウのネジ孔が形成され、前記ガイド体の選択された第1角部により前記第1ガイドを構成し、かつ前記ベースダボが前記ダボ孔に嵌り合い、かつ前記表示体の第１表示部が前記出口に並置された場合、前記ネジ孔、ガイド貫通孔及び表示体貫通孔が同一軸線上に直列し、前記スクリュウによって前記プレート及び表示体を共締めにより固定可能とし、前記第2角部により前記第１ガイドを構成し、かつ前記ベースダボが前記ダボ孔に嵌り合い、かつ前記表示体の第2表示部が前記出口に並置された場合、前記ネジ孔、ガイド貫通孔及び表示体貫通孔が同一軸線上に直列し、前記スクリュウによって前記プレート及び表示体を共締めにより固定可能であることを特徴とするコインホッパのコインサイズ表示装置である。
【０００８】
本発明の第2の好ましい態様は、第2の好ましい例において、さらに前記出口通路の上側を画定する出口通路画定ガイドを設け、前記出口通路画定ガイドは下面に前記ダボ孔に嵌り合う出口通路画定ガイドダボ及びガイド貫通孔を有し、前記出口通路画定ガイドが正規の位置にセットされた場合前記ダボに嵌り合うと共に前記ガイド貫通孔が前記共通の軸線上に位置するよう設定されていることである。
【０００９】
本発明において、保留ボウル内にバラ積みされたコインは、回転ディスクの回転によって通孔内に落下し、回転ディスクの裏面に形成された押動部によってベース上をスライドされ、第1ガイド及び第2ガイドによって構成される出口開口へ移動される。
出口開口に達したコインは、回転ディスクの押動部によって押進されることにより第2ガイドを弾き出し位置へ移動させる。
これにより、当該コインは、当該コインの中心を通る直線が第1ガイドと第2ガイドとの間を通過した直後に弾出装置によって出口通路に弾き出される。
弾き出されたコインは、出口通路に案内された後、出口から払い出される。
第1ガイドは、ガイド体の複数の角部によって構成され、当該複数の角部の１を選択して所定の位置に固定することにより、コイン直径に対応した位置に設定される。
この位置は、コイン直径に差があっても、第2ガイドの移動位置が一定になるよう設定されている。
ガイド体は表示体と共通の位置決め手段によって所定の位置に位置決めされ、その後固定手段によって固定される。
さらに、当該第1ガイドが弾出手段を構成した場合、表示体のうち第1ガイドに対応する表示部が出口の側方に位置し、また、第2ガイドが弾出手段を構成した場合、第2ガイドに対応する表示部が出口の側方に位置する。
これにより、コインの出口を正面に見た場合、その近傍の表示体の表示部を確認することにより適用可能なコインサイズを知ることができる。
【００１０】
第1の好ましい実施態様において、第1ガイドは複数の角部を有するプレート状のガイド体の選択された角部によって構成され、前記ガイド体には位置決め用の１つのダボ孔が穿孔され、前記底面には前記ダボ孔に嵌り合うベースダボが突出形成され、さらに前記ガイド体には位置決め手段及び固定手段としてスクリュウのガイド貫通孔が形成され、さらに横棒部と縦棒部とにより全体として大凡T形を呈する表示体を設け、当該表示体の横棒部の一端の第１端面及び他端の第2端面には前記ガイド体の複数の角部に対応する関連表示をする第1表示部及び第２表示部をそれぞれ設けると共に前記縦棒部に表示体貫通孔を設け、前記底面には前記固定用スクリュウのネジ孔が形成され、前記ガイド体の選択された第1角部により前記第1ガイドを構成し、かつ前記ベースダボが前記ダボ孔に嵌り合い、かつ前記表示体の第１表示部が前記出口に並置された場合、前記ネジ孔、ガイド貫通孔及び表示体貫通孔が同一軸線上に直列し、前記スクリュウによって前記ガイド体及び表示体を共締めにより位置決め及び固定可能とし、前記第2角部により前記第１ガイドを構成し、かつ前記ベースダボが前記ダボ孔に嵌り合い、かつ前記表示体の第2表示部が前記出口に並置された場合、前記ネジ孔、ガイド貫通孔及び表示体貫通孔が同一軸線上に重なり合うように直列し、前記スクリュウによって前記ガイド体及び表示体を共締めにより固定可能である。
要約すれば、スクリュウをガイド貫通孔及び表示体貫通孔を貫通させてネジ孔にねじ込むことにより、ガイド体及び表示体の位置決め及び固定ができる。
したがって、小型、かつ、安価に製造できると共に、対応するコインサイズへの変更作業が容易にできる利点がある。
【００１１】
第2の好ましい態様は、第2の好ましい例において、さらに、前記出口通路の上側を画定する出口通路画定ガイドを設け、前記出口通路画定ガイドは下面に前記ダボ孔に嵌り合う出口通路画定ガイドダボ及びガイド貫通孔を有し、前記出口通路画定ガイドが正規の位置にセットされた場合、前記ダボに嵌り合うと共に前記ガイド貫通孔が前記共通の軸線上に位置するよう設定されている。
これにより、出口通路画定ガイドダボをダボ孔に嵌め込むことにより、出口通路画定ガイドは位置決めされ、さらに、ガイド貫通孔が前記共通の軸線上に重なるように位置するようになるので、スクリュウをネジ孔にねじ込むことができる。
したがって、コインサイズへの変更作業が容易にできる利点がある。
【発明を実施するための最良の形態】
【００１２】
本発明の最良の形態は、上部開口を有するコイン保留ボウルの底孔に配置された通孔付き回転ディスクによってコインを一枚ずつ区分けして、前記回転ディスクの下方に配置した底面上を滑らせて前記回転ディスクと共につれ回りさせて前記回転ディスクの側方に固定状態に配置した第1ガイド及び前記第1ガイドに対し弾性的に接離可能に設けられた第2ガイドによって構成された弾出装置に送り込み、前記弾出装置によって出口通路に投出し、前記出口通路の端面の出口から投出するコインホッパにおいて、前記第1ガイドは複数の角部を有するプレート状のガイド体の選択された角部によって構成され、前記ガイド体には位置決め用の１つのダボ孔が穿孔され、前記底面には前記ダボ孔に嵌り合うベースダボが突出形成され、さらに前記ガイド体には位置決め手段及び固定手段としてスクリュウのガイド貫通孔が形成され、さらに横棒部と縦棒部とにより全体として大凡T形を呈する表示体を設け、当該表示体の横棒部の一端の第１端面及び他端の第2端面には前記ガイド体の複数の角部に対応する関連表示をする第1表示部及び第2表示部をそれぞれ設けると共に前記縦棒部に表示体貫通孔を設け、前記底面には前記固定用スクリュウのネジ孔が形成され、前記ガイド体の選択された第1角部により前記第1ガイドを構成し、かつ前記ベースダボが前記ダボ孔に嵌り合い、かつ前記表示体の第1表示部が前記出口に並置された場合、前記ネジ孔、ガイド貫通孔及び表示体貫通孔が同一軸線上に直列し、前記スクリュウによって前記ガイド体及び表示体を共締めにより位置決め及び固定可能とし、前記第2角部により前記第１ガイドを構成し、かつ前記ベースダボが前記ダボ孔に嵌り合い、かつ前記表示体の第2表示部が前記出口に並置された場合、前記ネジ孔、ガイド貫通孔及び表示体貫通孔が同一軸線上に直列し、前記スクリュウによって前記ガイド体及び表示体を共締めにより固定可能であり、さらに前記出口通路の上側を画定する出口通路画定ガイドを設け、前記出口通路画定ガイドは下面に前記ダボ孔に嵌り合う出口通路画定ガイドダボ及びガイド貫通孔を有し、前記出口通路画定ガイドが正規の位置にセットされた場合前記ダボに嵌り合うと共に前記ガイド貫通孔が前記共通の軸線上に位置するよう設定されていることを特徴とするコインホッパのコインサイズ表示装置である。
【実施例】
【００１３】
まず、コインホッパ100の概要が図1を参照して説明される。
本実施例において単にコイン102というときは大径コイン102L及び小径コイン102Sの両方を含んでいる。
コインホッパ100は、バラ積み状態で保留された円板形のコイン102を一つずつ払い出す機能を有する。
コインホッパ100は、少なくともフレーム104、ホッパベース106、保留ボウル108、回転ディスク110、コイン102の周方向案内装置112、弾出装置114(図4参照)、出口通路116、コイン検知装置118(図6参照)、出口通路画定装置122を含んでいる。
【００１４】
まずフレーム104が図1を参照して説明される。
フレーム104はホッパベース106及び保留ボウル108を支持する機能を有し、樹脂にて射出成型された矩形の筒状をしている。
フレーム104は、下端のベース124、及び、ベース124に一体化され上向きに延びる矩形筒形のサポート部126を含んでいる。
サポート部126の中空部には、制御基板や回転ディスク110の駆動のための電気モータ等が配置され、頭部は斜めに形成されている。
【００１５】
次にホッパベース106が図2〜図4を参照して説明される。
ホッパベース106は、保留ボウル108、回転ディスク110、周方向案内装置112、弾出装置114、及びコイン検知装置118を所定の位置に保持する機能、及び、回転ディスク110によって移動されるコイン102を案内する機能を有する。
ホッパベース106は、矩形の厚板状を呈し、サポート部126の頂部に固定されている。
換言すれば、ホッパベース106は、所定の角度で傾斜している。
【００１６】
ホッパベース106は上面128の中央に位置する有底かつ円形鍋形のガイド穴132、上下端部に形成した保留ボウル108の第１取付部134A、134B及び第2取付部136A、136B、ガイド穴132の周面の一部を開口した出口開口138、裏面側にコイン検知装置118の第１取付部140及び周方向案内装置112の第2取付部142(図6参照)を含んでいる。
ガイド穴132の底面144は、大凡平面であり、中央に、回転ディスク110を取り付ける回転軸146が貫通する軸孔147が形成されている。
ガイド穴132の周壁150は、Ｃ形の金属製ガイドリング148の内周面及び後述のガイド体196の第1側面208又は第2側面212によって構成される。
底面144は後述のように本実施例では金属板258の上面によって構成されるが、ホッパベース106と一体に樹脂成形することができる。
回転ディスク110によって押動されるコイン102は、その下面がガイド穴132の底面144上を滑りつつ、かつ、その周面がガイド穴132の内周面である周壁150に案内されつつ移動する。
出口開口138に臨んで後述の弾出装置114が配置されている。
厳密に言えば、後述の第１ガイド188及び第2ガイド192によって出口開口138が構成される。
【００１７】
次に、保留ボウル108が図1を参照して説明される。
保留ボウル108は、コイン102をバラ積み状態に貯留する機能を有する。
保留ボウル108の下端部152は、ガイド穴132とほぼ同一径の円筒状であって、ホッパベース106に対し直交方向に延びている。
換言すれば、下端部152は斜め上方に向かって伸びており、その上端部154は四角形状に拡大形成され、上端はコイン102を投入するための上部開口156になっている。
下端部152の円筒内の底孔158に回転ディスク110の上部が配置されている。
保留ボウル108の上端部154と下端部152は傾斜壁によって接続され、その上に乗ったコイン102は、重力によって自然滑落し、下方の回転ディスク110上に落下する。
第１取付部134A、134B及び第2取付部136A、136Bに保留ボウル108の下部に形成した係止部(図示せず)を係止することにより、保留ボウル108を簡単操作でホッパベース106に取付け、取外しできるようにしてある。
【００１８】
次に回転ディスク110が図2及び図5を参照して説明される。
回転ディスク110は、保留ボウル108にバラ積み状態に保留されるコイン102を一つずつ区分けし、弾出装置114に搬送する機能を有する。
回転ディスク110は、電気モータ162(図6参照)によって減速機164を介して回転駆動される。
回転ディスク110には、回転軸線Cを中心とする所定半径の円上であって等間隔に円形の通孔166が形成され、通孔166の上面側は、下向き錐形の導入部168が形成されている。
通孔166は、大径コイン102L又は小径コイン102Sが使用された場合であっても、回転ディスク110を交換せずとも良いよう、大径コイン102Lよりも僅かに大きく形成されている。
また、中央部には円錐形であって、かつ、回転軸146を取付けると共にコイン102の攪拌のための中央凸部172(図3参照)が形成されている。
回転ディスク110は、その下部がガイド穴132内にその周面が周壁150に対しコイン102の厚みよりも狭い間隔で、また、その上部は保留ボウル108の下端部152の底孔158内に僅かな隙間を空けて配置されている。
【００１９】
回転ディスク110の裏面160である通孔166を区画するリブ170の下面には、コイン102を押し出すための第１押動部174及び第2押動部176が通孔166のそれぞれに相対して下向きに突出形成されている。
第１押動部174及び第2押動部176の第1押動面174A、及び第2押動面176A(図5参照)は、回転ディスク110の中心部から伸びるインボリュート曲線上に位置している。
第１押動部174と第2押動部176との間には、後述の周方向案内装置112を構成する第1規制体112A通過のための第1溝178A及び、第2規制体112B通過のための第2溝178Bが形成されている。
【００２０】
回転ディスク110が回転した場合、その上に載っているコイン102は通孔166、中央凸部172等によって攪拌され、姿勢が変化させられて通孔166に落下する。
落下したコイン102の下面はガイド穴132の底面144(金属板258の上面)に、外周は周壁150によって案内される。
そして、回転ディスク110の回転によって第1押動面174A及び第2押動面176Aによって押動されて回転ディスク110と共に連れ回りされる。
このとき、コイン102の周面は周壁150に案内されるが、周壁150に対する接触圧は殆どが遠心力に基づくものであるので大きな接触圧ではない。
連れ回り過程において、周方向案内装置112の第1規制体112A、及び第2規制体112Bによって連れ回りを阻止されたコイン102は、回転ディスク110の周方向へ案内され、最終的に第2押動面176Aによって、出口開口138へ押し込まれる。
【００２１】
次に周方向案内装置112が図4を参照して説明される。
周方向案内装置112は、第１押動部174、第2押動部176によって押動されるコイン102を、回転ディスク110の周方向に案内し、出口開口138に誘導する機能を有する。
具体的には、ホッパベース106を下側から上側に貫通し、回転ディスク110の裏面160に向かって伸びる円柱ピン状の第1規制体112A及び第2規制体112Bが配置されている。
換言すれば、第1規制体112A及び第2規制体112Bはコイン102の移動経路182に突出している。
【００２２】
第1規制体112A及び第2規制体112Bは、ホッパベース106の裏面の第2取付部142に一端を固定された板バネ184A、184B(図6参照)にそれぞれ固定されている。
これにより、第１押動部174、第2押動部176によって押動されるコイン102は第1規制体112A及び第2規制体112Bによって回転ディスク110による連れ回りを阻止され、出口開口138側へ案内される。
なお、第1規制体112A又は第2規制体112Bの一方のみ、若しくは第1規制体112A及び第2規制体112Bを用いずともコイン102が出口開口138に自ずと移動する場合、それらを配置する必要はない。
【００２３】
換言すれば、回転ディスク110の直径が大きく、第１押動部174及び第2押動部176によってコイン102を回転ディスク110の周方向へ誘導できる場合、第1規制体112A及び第2規制体112Bを配置する必要は無い。
第1規制体112A及び第2規制体112Bがコイン102から所定の横方向の力を受けた場合、板バネ184A、184Bが弾性変形して第1規制体112A及び第2規制体112Bは底面144の下方に向かって移動可能であり、コイン102がそれを乗り越えて移動可能になり、回転ディスク110と共に移動できる。
【００２４】
次に出口開口138が図4を参照して説明される。
出口開口138は、周方向案内装置112の側方のガイド穴132の周壁150が所定長にわたって切除された矩形の開口である。
実施例においては、第1ガイド188及び第2ガイド192によってコイン102の出口が画定されるので、これらの間が出口開口138である。
出口開口138の長さ(ガイド穴132の周方向の長さ)は、コイン102が通過するに十分な長さである。
換言すれば、周壁150はコイン102の直径よりも横方向の長さが僅かに大きく形成され、その開口に実質的に出口開口138を構成する第1ガイド188及び第2ガイド192が配置される。
【００２５】
次に弾出装置114を図4及び図6を参照して説明する。
弾出装置114は、回転ディスク110によって一枚ずつ区分けされて送り出されるコイン102をひとつずつ弾き出す機能を有する。
弾出装置114は、第1ガイド188、第2ガイド192及び付勢手段194を含んでいる。
【００２６】
まず第1ガイド188が図4を参照して説明される。
第1ガイド188は、コイン102が弾き出される際、出口開口138の一側を固定的に画定する機能を有する。
さらに、本実施例においては、コイン102として小径コイン102S又は大径コイン102Lの何れが使用される場合であっても、第2ガイド192の移動量が同一になるようにする機能を有する。
本実施例における第1ガイド188は、へら状の板金製ガイド体196の弧状端部198によって構成されている。
詳述すれば、ガイド体196の一端の角部の１つが第１ガイド188を構成し、当該ガイド体196の表裏を反転させた際の前記角部に相対する他の角部が第1ガイド188を構成する。
【００２７】
ガイド体196は他端部202及び側部凸部204が形成され、ホッパベース106に形成された凹部207に側部凸部204が位置し、かつ、他端部202がガイドリング148の一端の弧状凹部206に接した状態において、小径コイン102Sに適した第1位置P1に位置するよう設定されている。
この状態において、ガイド体196の直線状の第1側面208はガイド穴132の一部を構成する。
図4において鎖線で示すように、ガイド体196を表裏反転した場合、第1側面208の反対側の第2側面212がガイド穴132の一部を構成する。
このとき、第1側面208はホッパベース106の端部に立設する垂立壁210に、及び他端部202がガイドリング148の凹部214に係合することにより位置決めされる。
第2側面212は、第1側面208よりも湾曲しており、ガイド穴132の実質的半径を大きくしている。
換言すれば、大径コイン102Lが第1規制体112A、第2規制体112Bによって出口開口138へ案内され、かつ、第2ガイド192が小径コイン102Sが弾き出される場合と同一の移動量になるよう設定されている。
【００２８】
次に第2ガイド192が図4を参照して説明される。
第2ガイド192は移動可能に設けられ、第1ガイド188との間でコイン102を挟んで弾き出す機能を有する。
第2ガイド192は、本実施例では支軸216に回転自在に支持されたローラ218である。
第2ガイド192は、回転ディスク110及び第1ガイド188の側方に配置され、出口開口138の一側壁を構成している。
【００２９】
支軸216は、ホッパベース106の裏面に下向きに固定された固定軸222にピボット運動可能に取り付けられた揺動レバー224の一端部に固定され、ホッパベース106の弧状長孔226を通って、第1ガイド188に対し所定距離離れ、かつ出口通路116に隣接して位置している。
図6に示すように、ホッパベース106の下面に突出するピン228と揺動レバー224から下方に突出する支軸216との間に掛止めした付勢手段194、具体的にはスプリング232が掛止され、ローラ218が第1ガイド188に近づくよう図4において反時計方向(図6において時計方向)に付勢されている。
【００３０】
付勢手段194は、第2ガイド192を第1ガイド188に弾性的に近づける機能を有している。
通常、揺動レバー224は一体に形成された被係止部234が、ホッパベース106の裏面に形成された表面が弾性的に形成された係止部236によって係止されることにより、第1ガイド188に対しコイン102の直径よりも小さい間隔で停止された待機位置SPにおいて静止している。
係止部236は、例えばホッパベース106の裏面に突出するピンに外装したゴムリング238である。
係止部236を弾性体により構成することにより、揺動レバー224のバウンドを抑制し、コイン検知装置118が誤検知することを防止できる。
【００３１】
コイン102の中心を通る直線が第1ガイド188と第2ガイド192との間に進行した場合、図4に鎖線示するように第2ガイド192は弾き出し位置DPに移動された後、スプリング232の弾発力でコイン102を出口通路116へ弾き出す。
なお、第2ガイド192は揺動レバー224によってピボット運動を行うが、直線運動により第1ガイド188に対し接近、離隔するよう変更することができる。
また、付勢手段194は、スプリングの他、電磁アクチュエータ、空気アクチュエータ等同様の機能を有する装置に変更することができる。
【００３２】
次にコイン検知装置118が図4及び図6を参照して説明される。
コイン検知装置118は、コイン102による第2ガイド192の移動を直接的又は間接的に検知して検知信号DSを出力する機能を有する。
実施例のコイン検知装置118は、第2ガイド192、第2ガイド192を支持する揺動レバー224、揺動レバー224と一体的に移動する作用片242及び作用片242の検知装置244を含んでいる。
【００３３】
作用片242は、揺動レバー224と一体に、第2ガイド192よりも支軸216から遠い位置に形成され、固定軸222を中心とする円弧状に所定の長さで延在する被検知部246である。
検知装置244は、被検知部246を検知した場合、「Ｈ」又は「Ｌ」の電気的な検知信号DSを出力する機能を有する。
実施例の検知装置244は、透過形の光電センサ248であり、透孔248H(図4参照)から投光される投射光が遮断された場合、検知信号DSを出力する。
光電センサ248は、ホッパベース106の裏面の第１取付部140に取付ブラケット250を介して固定されている。
【００３４】
実施例において光電センサ248はサポート部126で囲われたホッパベース106の下方に位置するので、外部から不正にアクセスすることが極めて困難である。
コイン102によって第2ガイド192が弾き出し位置DPへ移動された場合、図4において鎖線で示すように被検知部246が透孔248Hに相対する場合、透孔248Hから受光部への投射光を遮断する。
この遮断によって、光電センサ248の出力は「H」から「L」になる。
第2ガイド192が弾き出し位置DPから待機位置SPへ移動する場合、移動途上において被検知部246が透孔248Hから外れるので、光電センサ248の出力は「L」から「H」になる。
光電センサ248の出力が「L」から「H」に変化したときに検知信号DSを出力する。
この検知信号DSをカウントすることにより、払い出したコイン102の数を知ることができる。
したがって、検知装置244は、同様の機能を有する他の方式、例えば反射式光電センサ、金属センサ等他のセンサに変更することができる。
さらに、揺動レバー224または第2ガイド192の移動を直接検知することによりコイン検知装置118を構成することができる。
【００３５】
次に出口通路116が図4を参照して説明される。
出口通路116は、弾出装置114によって弾き出されたコイン102を案内する機能を有する。
出口通路116は、出口開口138に連続して回転ディスク110の周方向に伸びる薄板状の通路である。
出口通路116は、ホッパベース106に形成された凹溝252、第1ガイド188、第2ガイド192及び凹溝252の上側解放面を覆う出口通路画定ガイド254によって画定され、回転ディスク110の周方向に伸びている。
凹溝252の底面256は、底面144と同一平面内に配置され、弾出装置114によって弾き出されたコイン102の下面が案内される。
底面144は、ガイド穴132の形状に形成した金属(ステンレス)板258の上面である。
底面144を導電性の金属板にすることにより」、樹脂製の回転ディスク110とコイン102との摩擦によって発生した静電気を、この底面144を介してアースすることができるので、静電気による電子部品等の破損等の問題を解消できる利点がある。
出口通路画定装置122は、本実施例においてはホッパベース106及び出口通路画定ガイド254により構成される。
【００３６】
次に第1ガイド188の仮位置決め装置259が図4を参照して説明される。
仮位置決め装置259はガイド体196を第1位置P1又は第2位置P2に仮決めする機能を有し、第1ダボ孔260、第2ダボ孔262及びベースダボ264を含んでいる。
第1ガイド188には、第1位置P1への位置決め用の第1ダボ孔260及び第2位置P2への位置決め用の第2ダボ孔262が形成されている。第1ダボ孔260及び第2ダボ孔262は所定直径の円形をしている。
第1ダボ孔260、第2ダボ孔262に嵌合可能に金属板258の表面に円柱状のベースダボ264が突出形成されている。
ベースダボ264に第1ダボ孔260が嵌合し、他端部202が弧状凹部206に係合し、かつ側部凸部204が凹部207に係合した場合、ガイド体196の１つの角部である弧状端部198は第1位置P1に配置される。
また、ガイド体196の表裏をひっくり返し、第2ダボ孔262をベースダボ264に嵌合し、他端部202を凹部214に係合させた場合、他方の角部である弧状端部198は第2位置P2になるよう設定されている。
【００３７】
次に出口通路画定装置122が図1〜4及び図7〜11を参照して説明される。
出口通路画定装置122は、出口通路116を画定する機能を有する。
出口通路116は、ホッパベース106の凹溝252に出口通路画定ガイド254を嵌め込んだ後、スクリュウ等の固定手段280によってホッパベース106、換言すればフレーム104に固定することにより画定形成される。
凹溝252は、図4において、ガイド穴132の上端部から横方向に延びる通路であり、その底面256はガイド穴132の底面144と同一の仮想平面内に配置されている。
具体的には、金属板258がホッパベース106の左端部まで延長されている。
そして、当該金属板258の上に第1ガイド188を構成するガイド体196が固定され、第2ガイド192と共に出口開口138を構成する。
図10に示すように凹溝252の上側の側壁268は、垂立面270と下向き斜面272とが交互に形成されている。
凹溝252の下側の側壁274は、図2に示すようにガイド穴132側へ向かって傾斜する斜面であって、底面256に対し直角上方へ延びて形成されている。
【００３８】
次に出口通路画定ガイド254が主に図8を参照して説明される。
出口通路画定ガイド254は、平板状であって、平面視倒立Ｌ形に透明樹脂で成形される。
ガイド体196が小径コイン102Sに対応する第1位置P1に設定されているか、大径コイン102Lに対応する第2位置P2に設定されているかの確認及び出口通路116におけるコイン102の移動状況を目視可能にするためである。
しかし、出口通路画定ガイド254は不透明であっても良い。
出口通路画定ガイド254のガイド穴側側面276は、回転ディスク110の周縁にコイン102の厚み未満の距離で隣接するよう回転軸146の軸心を中心とする円弧に形成され、対面する直状側面278がホッパベース106に固定された場合、ホッパベース106の左側面282と面一に配置される。
直状側面278にはホッパベース106と共にコインの出口284を構成する下向き凹部286が形成されている。
【００３９】
出口通路画定ガイド254の下面288は、平面であって、上端部(図8において左側部)下面に棒状であって、断面矩形の上側側面ガイド290が突出形成されている。
上側側面ガイド290からコイン102の直径よりも僅かに離れた位置の左端部に出口画定突起292が下向きに形成されている。
上側側面ガイド290と出口画定突起292との突出量は同一であって、コイン102の厚みよりも僅かに大きい高さh(厚く)において形成されている。
換言すれば、直状側面278には上側側面ガイド290と出口画定突起292とによって下向き凹部286が形成されている。
下向き凹部286の中間には、直状側面278からガイド穴側側面276に向かって球状であって、大人の人指し指の先端が挿入できる程度の取り出し凹部296が形成されている。出口通路116に残留するコイン102を指先で取り出し易くするためである。
下向き凹部286は、下面288の一部である上縁286A、上側側面ガイド290の側面である左側縁286L、及び出口画定突起292の側面である右側縁286Rによって構成され、取り出し凹部296は上縁286Aの中間に形成されている。
したがって、下向き凹部286に対応する下面288は直状側面278から出口開口138、換言すればガイド穴132に向かって所定長さで球面状に窪み、また、取り出し凹部296の上側側面ガイド290側の左上縁286AL(図9参照)は左側縁286L側までの間の所定の長さW1において直線状に形成され、出口画定突起292側の右側縁286Rまでの間の右上縁286ARは所定長さW2において直線状に形成されている。
取り出し凹部296の窪み形状は球面状でなくとも、ピンセット状器具又は指先によってコイン102を取り出すことができるよう窪んでいればよい。
【００４０】
出口通路画定ガイド254の上側側面(上端部)から所定の幅で係止突起294が、突出している。
係止突起294には前記垂立面270及び斜面272に相対して垂立面298及び斜面300が階段状に形成されている。
係止突起294の上端部の上面302は下面288と平行に形成され、ホッパベース106に形成された係止突起294の幅よりも僅かに大きい幅を有する係止凹部308(図4、10参照)に係合可能である。
上面302と上側側面ガイド290の下端との距離H1(図8(B)参照)は、上側側面ガイド290の下端304が当接する底面256と係止凹部308の下面との間の距離H2(図10参照)よりも僅かに大きく形成されている。
これにより、係止突起294がホッパベース106に密に保持されるので出口通路画定ガイド254が振動することがなく、コイン102の払い出しに悪影響を及ぼさないからである。
出口通路画定ガイド254には上下方向に貫通する第1貫通孔314A、第2貫通孔314B並びに第3貫通孔314C及び第2貫通孔314B近傍の下面288から下向きに円柱ピン状の出口通路画定ガイドダボ326が突出形成されている。
出口通路画定ガイド254の中間の中央には第1貫通孔314Aが形成され、第1貫通孔314Aに近接して第3貫通孔314Cが形成されている。
第1貫通孔314Aは、ガイド体196が第1位置P1に配置され、かつ第1ダボ孔260がベースダボ264に嵌合した場合、貫通孔214A及び底面256に形成されたネジ孔316Aと同一軸線上に位置し、上下方向に重なり合う。
また、第2貫通孔314Bはガイド体196が第1位置P1に配置され、かつ第1ダボ孔260がベースダボ264に嵌合した場合、貫通孔214B及び底面256に形成されたネジ孔316Bと同一軸線上に位置し、上下方向に重なり合う。
換言すれば、固定手段280としてのスクリュウ312Aを第1貫通孔314A、貫通孔212Aを貫通して底面144のネジ孔316Aに、スクリュウ312Bを第2貫通孔314B、貫通孔212Bを貫通して底面144のネジ孔316Bにねじ込んでガイド体196及び出口通路画定ガイド254をホッパベース106に、換言すればフレーム104に一体に固定でき、それらが重なり合わなければ固定することができない。
ガイド体196が第2位置にある場合、換言すれば第2ダボ孔262がベースダボ264に嵌合した場合、貫通孔212Aが底面144のネジ孔316Cに重なり、かつ出口通路画定ガイド254の第3貫通孔314Cが貫通孔214C及びネジ孔316Bに重なり合い、それぞれスクリュウ312A、312Bをネジ孔316C及び316Bにねじ込んでホッパベース106に固定することができる。
出口通路画定ガイドダボ326は第2貫通孔314Bの近傍の下面288から下向きに突出する円筒形のピンである。
ガイド体196の第1位置P1において第1ダボ孔260に、第2位置P2において第2ダボ孔262に嵌合して出口通路画定ガイド254を位置決めする。
【００４１】
次に出口通路画定ガイド254をホッパベース106に固定する作業を説明する。
係止突起294を係止凹部308に挿入し、上側側面ガイド290の下端304を底面256に押し付けた状態で出口通路画定ガイド254の下端部(図8において右端部)を下方へ押し下げる。
この後、下面288をガイド体196の上面に押し付けた状態で固定手段280としての固定用スクリュウ312A、312Bを第1貫通孔314A又は第3貫通孔314C、及び第2貫通孔314Bを貫通させて底面256を構成する金属板258に形成したネジ孔316A又は316C、及びネジ孔316Bにねじ込んで固定する。
ガイド体196はコイン102の厚みよりも僅かに厚い所定の厚さに形成されているので、下面288は底面256と大凡平行になる。
また、上側側面ガイド290の下端304と出口画定突起292の下端が底面256の表面に密接し、厚みがコイン102の厚みよりも僅かに大きく、かつ横幅がコイン102の直径よりも僅かに大きい細長矩形の出口284がホッパベース106の左側面282に形成される。
これにより、底面256、出口通路画定ガイド254の下面288、上側側面ガイド290及び出口画定突起292によって扁平な平板状に画定され、かつ出口開口138から出口284に向かって直線的に延びる出口通路116が画定形成される。
【００４２】
図9に示すように、出口284において取り出し凹部296の左側には幅W1において底面256と平行な左上縁286AL、右側には幅W2において底面256と平行な右上縁286ARが位置する。
また取り出し凹部296よりも出口開口138側は左上縁286AL及び右上縁286ARが連続した上縁286Aによって構成される。
出口通路116の下縁286Uは底面256によって構成される。
換言すれば、出口通路116の左右(図4においては上下)にはその全長にわたってコイン102の厚みよりも僅かに厚い通路が連続的に構成されている。
したがって、出口通路116を出口開口138から出口284に向かって移動するコイン102はその両端部を底面256及び少なくとも左上縁286AL又は右上縁286ARによって案内され続けるので、コイン102の移動姿勢は安定する。
結果として、コイン102の出口284からの払い出し方向が安定するという利点がある。
また、出口284の上側中間には取り出し凹部296によって出口284から出口開口138側へ所定の長さで出口通路116の上側に位置する窪みが形成される。
【００４３】
図8(C)において、下面288の取り出し凹部296に相対するガイド穴側側面276から内方へ延びる長溝318は第2ガイド192の頭部が移動するための溝である。
出口通路画定ガイド254が正常にホッパベース106に固定され、かつコイン102が出口通路116に滞留した場合、コイン102の先端が出口284と大凡面一に位置する(図4鎖線示)。
コイン102が出口通路116に滞留している場合、指先を凹部196に挿入すると、先端がコイン102の上面に接触するのでコイン102を指先で押し下げて適度の摩擦力をもって引き出すように移動させることにより、コイン102を出口通路116から引き出すことができる。
【００４４】
次に、ガイド体196の位置決め装置322を主に図4及び図8を参照して説明する。
位置決め装置322は、第1位置P1若しくは第2位置P2に仮位置決めされたガイド体196を本位置決めする機能を有し、出口通路画定ガイドダボ326及びガイド体196に穿孔された第1ダボ孔260及び第2ダボ孔262を含んでいる。
換言すれば、ガイド体196の他端部202が弧状凹部206に、側部凸部204が凹部207に係合し、かつベースダボ264が第1ダボ孔260に嵌合した状態において、ガイド体196は第1ガイド188の第1位置P1に仮位置決めされる。
他方、ガイド体196の他端部202が凹部214に、かつベースダボ264が円形の第2ダボ孔262に嵌合した状態において、ガイド体196は第1ガイド188の第2位置P2に位置決めされる。
【００４５】
出口通路画定ガイドダボ326は下面288に突出形成された円柱状の突起であって、ベースダボ264が第1ダボ孔260に嵌合した場合、第1ダボ孔260に嵌合し、ベースダボ264が第2ダボ孔262に嵌合した場合、第2ダボ孔262に嵌合するように位置が設定されている。
この構成により、前記ベースダボ264がガイド体196の第1ダボ孔260又は第2ダボ孔262に僅かに嵌合して仮位置決めされた状態において、円柱状の出口通路画定ガイドダボ326が第1ダボ孔260又は第2ダボ孔262に嵌合することにより、自動的にその位置だしが行われ本位置決めがなされる。
これにより、出口通路画定ガイド254の第1貫通孔314A又は第3貫通孔314C、及び第2貫通孔314Bがガイド体196の貫通孔212A又は214Bに相対するので、これらに固定用スクリュウ312A、312Bを貫通させて金属板258のネジ孔316A及び316Bにねじ込むことにより固定される。
ガイド体196が第2位置P2にある場合、貫通孔314Cがガイド体196の貫通孔212Aに相対するのでスクリュウ312Aはこれを貫通してネジ孔316Cにねじ込まれることができる。
【００４６】
出口通路画定ガイド254が正規の位置に固定された場合、出口通路116はその高さがコイン102の厚みよりも僅かに大きい厚みhを有し、かつ幅Wがコイン102の直径よりも僅かに大きい断面が扁平横長矩形の通路に形成され、出口284も同じ大きさに形成される。
出口284の中間には前述のように、出口284からガイド穴132側に向かって所定長さで取り出し凹部296が形成されるので、取り出し凹部296が形成された部分は出口通路画定ガイド254の下面288が存在しない。
換言すれば、上側側面ガイド290の左側縁286Lから取り出し凹部296の端部までの距離W1は、厚みhの距離離れて上縁と下縁が位置する。
相対する他端部の出口画定突起292の右側縁286Rから距離W2の間は右上縁286AR及び下縁286Uが距離h離れて平行に配置される。
さらに換言すれば、出口通路116の出口284近傍において、その左右端は高さhを有するスリットであり、コイン102はその両端部を底面256並びに左上縁286AL及び右上縁286ARによって案内される。
【００４７】
次に本発明に係るコインサイズ表示装置332が主に図9及び図12を参照して説明される。
コインサイズ表示装置332は、ガイド体196の第1ガイド188が第1位置P1に位置しているのか、第2位置P2に位置しているのかを直接的又は間接的に表示する機能を有する。
具体的には、ガイド体196の固定手段280による固定位置によって、出口284の近傍に配置した表示部335に設定コインを表示する機能を有する。
表示部335の表示内容としては、設定されたコインサイズ、換言すればコインの直径を表示することが好ましい。
これらの表示により、作業者は直感的に使用可能なコインサイズを理解できる。
しかし、第1位置P1又は第2位置P2のように間接的に表示することもできる。さらに、コインの直径に対応して色分けすること、特定の文字又は記号を付すこと、特定の形状とすること等間接的な表示法を採用することができる。
また、表示位置が出口284の近傍であればよいので、本実施例のように出口284と同じ仮想面内に表示部335を並列配置する他、出口284に対し直角位置である出口通路画定ガイド254の上面に配置することもできる。
【００４８】
実施例のコインサイズ表示装置332は、表示体336及び表示窓364を含んでいる。
表示体336は、横向き部338、縦向き部358によって大凡T形に形成される。
横向き部338は、断面矩形の棒状であるが、正確には中間に段差342が形成されている。
横向き部338の一端面である第1端面344にはガイド体196が第1位置P1に位置した場合、最適のコインサイズ(直径)の第1表示部346を設ける。例えば、直径25ミリに相当する「25」を浮き文字又は窪み文字に成形し、第1表示部346を構成する。浮き文字等に代えて数字を印刷したシールを貼付することができる。
また、第1端面344が後述の表示窓364に位置する場合、表示体336の上面にも第1端面344と同一のコインサイズを表示する上面第1表示部348を設けることが好ましい。
コインホッパ100を上方から見下ろした場合、コインサイズを容易に確認できるからである。
【００４９】
横向き部338の他端面である第2端面352にはガイド体196が第2位置P2に位置した場合、最適のコインサイズ、例えば直径30ミリに相当する「30」を浮き文字等に成形し、第2表示部354を構成する。
第2表示部354が表示窓364に位置する場合、表示体336の上面にも第2端面352と同一のコインサイズを表示する上面第2表示部356を設けることが好ましい。
表示体336の断面矩形の縦向き部358の端部に円形の貫通孔362が形成されている。
第1端面344が表示窓364に位置する場合、貫通孔362は第1貫通孔314Aに相対可能に形成され、第2端面352が表示窓364に位置する場合、貫通孔362は第3貫通孔314Cに相対可能に形成されている。
換言すれば、第1表示部346が表示窓364に位置する場合、貫通孔362は第1貫通孔314Aの軸線と同軸に配置されることができ、第2表示部354が表示窓364に配置された場合、貫通孔362は第1貫通孔314A又は第3貫通孔314Cの軸線と同軸に配置されることができない。
また、第2表示部354が表示窓364に位置する場合、貫通孔362は第3貫通孔314Cの軸線と同軸に配置されることができ、第1表示部346が表示窓364に配置された場合、貫通孔362は第1貫通孔314A又は第3貫通孔314Cの軸線と同軸に配置されることができない。
【００５０】
第1表示部346及び第2表示部354は、出口通路画定ガイド254の側面278に形成した矩形の表示窓364に嵌合された場合、前記固定位置に位置決めされるように設定されている。
出口284を正面から見た場合、設定されているコインサイズが容易に確認できるからである。
実施例において、表示体336は出口通路画定ガイド254の上側にあてがわれ、スクリュウ312Aによって出口通路画定ガイド254及びガイド体196と共締めされることにより固定される。
詳述すれば、ガイド体196が第1位置P1に位置する場合、第1位置P1に対応する直径25ミリのコインサイズを表示する第1表示部346が形成された第1端面344を有する横向き部338の端部(図12において左端部)が表示窓364に相対した位置、正確には嵌り合った位置において、貫通孔362が第1貫通孔314A及び貫通孔212Aに重なり、スクリュウ312Aがこれら貫通孔212A、314A及び362を貫通してネジ孔316Aにねじ込み可能になる。
誤って第2端面352を表示窓364に相対させた場合、正確には第2端面352を有する横向き部338の端部が表示窓364に嵌め込んだ場合、貫通孔362は第1貫通孔314Aに重ね合わせることができない。
一方、貫通孔362を第1貫通孔314Aに重ね合わせた場合、第2端面352側の横向き部338の端部は表示窓364に嵌め合わされることができず、表示窓364に相対できない。
【００５１】
横向き部338は段差342によって僅かにクランク形に折り曲げられ、第2端面352は第1端面344よりも貫通孔362に対し遠い位置に形成されているからである。
さらに、貫通孔362の中心を通り、かつ縦向き部358の中心を通る直線Lに対し、第2端面352は第1端面344よりも距離が短いためである。
換言すれば、第2端面352側の横向き部338の端部が表示窓364に嵌め合わされた場合、貫通孔362は第1貫通孔314Aに重なり合わないのでスクリュウ312Aをねじ込むことができない。
以上の説明より明らかなとおり、ガイド体196が第1位置P1に位置している場合、第2端面352側の端部を表示窓364に位置させようとした作業者は、表示が間違いであることに容易に気づき、第1端面352側を表示窓364に嵌め合わせた正しい位置においてスクリュウ312Aをネジ孔316Aにねじ込んで表示体336、出口通路画定ガイド254及びガイド体196を共締めして固定することができる。
一方、ガイド体196が第2位置P2に位置する場合、第2端面352側の横向き部338の端部を表示窓364に挿入した位置において貫通孔362は貫通孔212A、第3貫通孔314Cに重なり合い、スクリュウ312Aをネジ孔316Cにねじ込んで表示体336、出口通路画定ガイド254及びガイド体196を共締めして固定することができる。
この状態で第1端面344側の横向き部338を表示窓364に挿入した場合、貫通孔362は第3貫通孔314Cからずれた位置にあり、スクリュウ312Aをネジ孔316Cにねじ込むことができないので表示窓364に間違ったサイズ表示がなされることはない。
【００５２】
次に実施例の作用を説明する。
本実施例において、小径コイン102Sは直径25ミリ、大径コイン102Lは直径30ミリに設定されている。
まず、小径コイン102Sに適した仕様に設定する作業を説明する。
ガイド体196は、他端部202が弧状凹部206に、側部凸部204が凹部207に係合し、かつ第1ダボ孔260がベースダボ264に嵌合されて第1位置P1に仮位置決めされる。
換言すれば、第1ガイド188が直径25ミリの小径コイン102Sに適した位置に仮決めされると共に、貫通孔212Aは第1ネジ孔316Aに、貫通孔214Bはネジ孔316Bに重なり合う。
次に出口通路画定ガイド254の係止突起294をホッパベース106の係止凹部308に挿入して下面288がガイド体196の上面に密着するまで押し下げる。
この押し下げ時、出口通路画定ガイドダボ326が第1ダボ孔260に嵌合する。
これにより、出口通路画定ガイド254の本位置決めが自動的に行われ、貫通孔212Aに第1貫通孔314Aが、貫通孔214Bに第2貫通孔314Bが重なり合う。
この状態において、ガイド体196の貫通孔212Aと出口通路画定ガイド254の第1貫通孔314A、貫通孔212Bと第2貫通孔314Bとが重なりあう。
換言すれば、スクリュウ312Aを第1貫通孔314A及び貫通孔212Aを貫通させてネジ孔316Aにねじ込み、かつ貫通孔212Bと第2貫通孔314Bを貫通させてネジ孔316Bにスクリュウ312Bをねじ込むことにより出口通路画定ガイド254及びガイド体196を共締めにより固定可能である。
続いて表示体336の第1表示部346側の横向き部338の先端を表示窓364に挿入し、貫通孔362を第1貫通孔314Aに重ね合わせる。
この状態で、スクリュウ312Aを貫通孔362、第1貫通孔314A及び貫通孔212Aに貫通し、スクリュウ312Bを第2貫通孔314B及び貫通孔212Bを貫通させてネジ孔316A又は316Bにそれぞれねじ込み、ガイド体196、出口通路画定ガイド254及び表示体336を共締めによりホッパベース106に固定する。
これにより、ガイド体196は第1位置P1に固定され、第2ガイド192と共に小径コイン102Sの直径に適した出口開口138を構成すると共に、上側側面ガイド290、出口画定突起292、底面258及び下面288によって横長矩形の出口通路116が画定形成され、出口通路116のホッパベース106の側面に位置する端面が出口284として形成される。
【００５３】
コイン102の払出指示信号を受けた場合、電気モータ162が回転し、減速機164及び回転軸146を介して回転ディスク110が図2において時計方向に回転される。
回転ディスク110の回転により、小径コイン102Sは通孔166に落下し、その下面はガイド穴132の底面144に支えられる。
さらに、小径コイン102Sは第１押動部174(第1押動面174A)及び第2押動部176(第2押動面176A)により押されてその下面は底面144上を滑り、かつ、周面は周壁150に案内されつつ回転ディスク110と共に連れ回りされる。
このとき、小径コイン102Sは第2押動部176によりその外向き円弧面を押されるので小径コイン102Sを回転中心側に押す力を受け、回転による遠心力が小径コイン102Sに作用するものの周壁150、及び第1側面208の接触圧力はほぼゼロの状態で移動する。
【００５４】
小径コイン102Sは、自ら又は周方向案内装置112によって回転ディスク110の周方向に案内される。
このとき、第1規制体112A又は第2規制体112Bには横方向から力が加わるが、底面144に対しほぼ垂直状態を保つ。
小径コイン102Sの周方向への移動により、小径コイン102Sは第1ガイド188と第2ガイド192との間に達する(図4鎖線示)。
第2ガイド192は、小径コイン102Sによって移動されるまで待機位置SPに位置する。
光電センサ248は、第2ガイド192が待機位置SP近傍に位置する場合、検知信号DSを出力しない。
【００５５】
小径コイン102Sは、第１押動部174に引き続いて第2押動部176によってさらに周方向へ押され、かつ、第1ガイド188は固定であるので、第2ガイド192が小径コイン102Sによって待機位置SPから弾き出し位置DPへ移動される(図4鎖線示)。
これにより、揺動レバー224が固定軸222を中心に時計方向へ回動される。
この弾き出し位置DPへ移動する途上において、作用片242は透孔248Hに相対し、投光部からの投射光を遮断するため、光電センサ248の出力は「H」から「L」に変化する。
図13に示すように、図示しない制御装置は出力が「H」から「L」に変化した時点から計時tを開始する。
【００５６】
小径コイン102Sは、その中心が当該小径コイン102Sと第1ガイド188及び第2ガイド192との接点を結ぶ直線上を通過した直後に付勢手段194の弾発力によって第2ガイド192を介してほぼ横方向に弾き出され、出口通路116を通って出口284から払い出される。
これにより、第2ガイド192は待機位置SPに戻る。
【００５７】
第2ガイド192の待機位置SPへの復帰動に連動して作用片242が光電センサ248に対する遮光を中断するので、投光部からの投射光が受光部に受光されるようになる。
これにより、光電センサ248の出力は「L」から「H」に変化する。
この「L」から「H」への出力変化に基づいて検知装置244は検知信号DSを出力する。
したがって、この検知信号DSをカウントすることにより出口284から払い出されたコイン102の数を計数することができる。
また、「H」から「L」に変化した後、「L」の継続時間tが所定時間Tよりも短い場合、異常信号は出力されない。
光電センサ248の出力「L」の継続時間tが所定時間T、例えば通常の二倍以上継続した場合、異常状態であるとして異常信号ESを出力することができる。
例えば、「L」の継続時間がコインの2枚払出に要する時間を経過した場合、異常信号ESを出力し、これに基づいて電気モータ162の回転を停止することができる。
【００５８】
小径コイン102Sが出口通路116に滞留した場合、小径コイン102Sの先端が大凡出口284において停止している。
この場合、指先を取り出し凹部296に挿入し、小径コイン102Sの上面を押して摩擦力を付与した後、指先を引き出す。
これにより、小径コイン102Sは指先との摩擦力によって引き出され、出口通路116から排除できる。
指先に代えてピンセットにてつまみ出すこともできる。
この場合、底面256側にも凹部を形成することにより掴みやすくなるので残留コインの除去を容易に行うことが出来る。
【００５９】
また、表示体336は第1端面344が表示窓364に嵌め合わされているので、出口284を正面から見た場合、その直近に小径コイン102Sの直径25ミリに相当する第1端面344の「25」が見えるので、適合コインの直径を一目で確認できる利点がある。
【００６０】
次に大径コイン102Lに適した仕様に変更する作業を説明する。
スクリュウ312A、312Bを緩め、出口通路画定ガイド254を取り外す。
次いでガイド体196を裏返して他端部202を凹部214に係合した状態で第2ダボ孔262をベースダボ264に嵌合し、第2位置P2に仮位置決めする。このとき、第1側面208はホッパベース106の側壁に接する。
換言すれば、第1側面208を前記側壁に接触させて他端部202が凹部214に接触するまで底面144上をスライドさせることにより、第2ダボ孔262にベースダボ264が嵌合するので極めて位置決めが容易にできる。
【００６１】
次に係止突起294をホッパベース106の係止凹部308に係合した後、下面288をガイド体196の上面に密着させる。
このとき出口通路画定ガイドダボ326が第2ダボ孔262に嵌合し、出口通路画定ガイド254の位置決めが行われる。
この状態において、第3貫通孔314Cは貫通孔212A及び金属板258のネジ孔316Cに重なり、第2貫通孔314Bはガイド体196の貫通孔214C及びネジ孔316Bに重なる。
次に表示体336の第2表示部354側の横向き部338の先端を表示窓364に挿入し、貫通孔362を貫通孔314Cに重ね合わせる。
この状態で、スクリュウ312Aを貫通孔362、第3貫通孔314C及び貫通孔212Aに、スクリュウ312Bを第2貫通孔314B及び貫通孔214Cに貫通させてネジ孔316C、316Bにそれぞれねじ込み、ガイド体196、出口通路画定ガイド254及び表示体336を共締めして固定する。
これにより、出口384を正面から見た場合、表示窓364にガイド体196の第2位置P2に対応する大径コイン102Lの直径を示す第2端面352の「30」が見えるので、対応するコインサイズを容易に黙視確認できる。
【００６２】
大径コイン102Lが使用される場合も前述の小径コイン102Sの場合と同様に、払い出される。
唯一変更され点は、第2位置P2に固定された第1ガイド188と第2ガイド192とによって、弾き出される点が異なる。
しかし、第2ガイド192の弾き出し位置DPは小径コイン102Sが使用される場合と変わらない。
したがって、大径コイン102Lが使用される場合も前述の小径コイン102Sが使用される場合と同様にコイン102と検知信号DSとは一対一の関係で払い出される。
また出口通路116に滞留した大径コイン102Lを引き出す場合も小径コイン102Sと同様に引き出すことができる。
【図面の簡単な説明】
【００６３】
【図１】図１は、実施例のコインホッパの斜視図である。
【図２】図２は、実施例のコインホッパの回転ディスクを装着したホッパベースの平面図である。
【図３】図３は、実施例のコインホッパの保留ボウルを外した状態のホッパベース、及びフレームの正面図である。
【図４】図４は、図２から回転ディスク及び出口通路画定ガイドを取り外した状態のホッパベースの平面図である。
【図５】図５は、回転ディスクの裏面図である。
【図６】図６は、実施例のコインホッパのホッパベースの裏面図である。
【図７】図７は、実施例のコインホッパのホッパベース、ガイド体、出口通路画定ガイド及び表示体の分解斜視図である。
【図８】図８は、実施例のコインホッパの出口通路画定ガイドであって、(A)は上方からの斜視図、(B)は正面図、(C)は下方からの斜視図である。
【図９】図９は、実施例のコインホッパの出口部の拡大図である。
【図１０】図１０は、図2におけるＸ―Ｘ線断面図である。
【図１１】図１１は、図2におけるＹ―Ｙ線断面図である。
【図１２】図１２は、実施例のコインホッパの表示器であって、(A)及び(D)は斜視図、(B)及び(E)は平面図、(C)及び(F)は左側面図である。
【図１３】図１３は、実施例のコインホッパの作用説明図である。
【符号の説明】
【００６４】
108 コイン保留ボウル
110 回転ディスク
102 コイン
188 第1ガイド
192 第2ガイド
114 弾出装置
116 出口通路
156  上部開口
158  底孔
166 通孔
196 ガイド体
198 ガイド部
212A、212B ガイド貫通孔
254 出口通路画定ガイド
260、262 ダボ孔
284 出口
316A、316B、136C ネジ孔
332 表示装置
322 位置決め装置
264  ベースダボ
336 表示体
346、354 表示部
344 第１端面
346 第1表示部
354 第2表示部
338 横向き部
358 縦向き部
352 第2端面
362 表示体貫通孔
【図１】
0005444564.tif 000002
【図２】
0005444564.tif 000003
【図３】
0005444564.tif 000004
【図４】
0005444564.tif 000005
【図５】
0005444564.tif 000006
【図６】
0005444564.tif 000007
【図７】
0005444564.tif 000008
【図８】
0005444564.tif 000009
【図９】
0005444564.tif 000010
【図１０】
0005444564.tif 000011
【図１１】
0005444564.tif 000012
【図１２】
0005444564.tif 000013
【図１３】
0005444564.tif 000014